(57)【要約】【課題】漏洩する磁界を効果的に抑制すること。【解決手段】漏洩磁界を吸収する防磁手段を支持部に備え、加熱コイルから発生される漏洩磁界を効率よく抑制することとなる。【選択図】図１
2006294434.tif 000002
【特許請求の範囲】
【請求項１】
誘導加熱用の加熱コイルと、前記加熱コイルを保持する加熱コイル保持部と、前記加熱コイルに高周波電流を供給する周波数変換装置と、前記加熱コイル保持部を支持する支持部と、前記加熱コイルの外周近傍には前記加熱コイル保持部に設けた導電性金属をループ状に形成した磁気シールド板と、前記加熱コイルからの漏洩磁界を低減する防磁手段を前記支持部に設けた誘導加熱調理器。
【請求項２】
加熱コイル保持部には磁束の指向性を向上させる加熱用フェライトを設けた請求項１記載の誘導加熱調理器。
【請求項３】
防磁手段を加熱コイルの下方に設けた請求項２記載の誘導加熱調理器。
【請求項４】
防磁手段を加熱コイル用フェライトとの間に設けた請求項２記載の誘導加熱調理器。
【請求項５】
防磁手段を加熱コイルと周波数変換装置の間に設けた請求項１記載の誘導加熱調理器。
【請求項６】
防磁手段をフェライトで構成された請求項１記載の誘導加熱調理器。
【請求項７】
防磁手段を加熱コイルの中心より放射状に設けた請求項１記載の誘導加熱調理器。
【請求項８】
防磁手段を加熱コイルの中心より前方に設けた請求項１記載の誘導加熱調理器。
【請求項９】
防磁手段は加熱コイルと同心円のリング形状とした請求項１記載の誘導加熱調理器。
【請求項１０】
防磁手段は支持部に設けられたつめにより固定された請求項１記載の誘導加熱調理器。
【請求項１１】
防磁手段は支持部と一体成型された請求項１記載の誘導加熱調理器。
【発明の詳細な説明】
【技術分野】
【０００１】
本発明はコイルからの磁束漏れを低減する防磁手段を設けた誘導加熱調理器の構成に関するものである。
【背景技術】
【０００２】
近年、誘導加熱調理器はその高火力化が図られ、それに伴い周辺に漏洩する磁界を効果的に抑制することが必要となっている。従来、この種の誘導加熱調理器は、漏洩磁界を抑制する方法として、加熱コイルの外周に導電性金属板をループ状に形成し漏洩磁界抑制を行っている（例えば、特許文献１参照）。
【０００３】
図５は、特許文献１に記載された従来の誘導加熱調理器を示すものである。図５に示すように、誘導加熱調理器の加熱コイル１０１と、加熱コイル１０１を保持する加熱コイル保持部１０２と、加熱コイル１０１に高周波電流を供給する周波数変換装置と、加熱コイル１０１の外周近傍に平帯状の導電金属板をループ状に形成した磁気シールド板１０３で構成されている。
【特許文献１】特開２００２−３１９４７９号公報
【発明の開示】
【発明が解決しようとする課題】
【０００４】
しかしながら、近年の誘導加熱調理器の高火力化により加熱コイルからの漏洩磁界が増加し、上記従来の構成では、機器から発生する漏洩磁界を一定基準内に抑制することが困難になってきたという課題を有していた。
【０００５】
本発明は、上記従来の課題を解決するもので、加熱コイルからの漏洩磁界を低減する防磁手段を加熱コイル保持部を支持する支持部に設けることで、加熱コイルから発生される漏洩磁界を効率よく抑制することができる誘導加熱調理器を提供することを目的とする。
【課題を解決するための手段】
【０００６】
前記従来の課題を解決するために、本発明の誘導加熱調理器は、誘導加熱用の加熱コイルと、前記加熱コイルを保持する加熱コイル保持部と、前記加熱コイルに高周波電流を供給する周波数変換装置と、前記加熱コイル保持部を支持する支持部と、前記加熱コイルの外周近傍には前記加熱コイル保持部に設けた導電性金属をループ状に形成した磁気シールド板と、前記加熱コイルからの漏洩磁界を低減する防磁手段を前記支持部に設けたものである。
【０００７】
これによって、加熱コイルからの漏洩磁界を低減する防磁手段を加熱コイル保持部を支持する支持部に設けることで、加熱コイルから発生される漏洩磁界を効率よく抑制することとなる。
【発明の効果】
【０００８】
本発明の誘導加熱調理器は、加熱コイルから発生される漏洩磁界を効率よく抑制することができる。
【発明を実施するための最良の形態】
【０００９】
第１の発明は、誘導加熱用の加熱コイルと、前記加熱コイルを保持する加熱コイル保持部と、前記加熱コイルに高周波電流を供給する周波数変換装置と、前記加熱コイル保持部を支持する支持部と、前記加熱コイルの外周近傍には前記加熱コイル保持部に設けた導電性金属をループ状に形成した磁気シールド板と、漏洩磁界を吸収する防磁手段を前記支持部に設けることにより、加熱コイルから発生される漏洩磁界を効率よく抑制することができる。
【００１０】
第２の発明は、加熱コイル保持部には磁束の指向性を向上させる加熱用フェライトを設けることにより、加熱コイルから発生される漏洩磁界を効率よく抑制することができる。
【００１１】
第３の発明は、防磁手段を加熱コイルの下方に設けたことにより、加熱コイルから発生される漏洩磁界を効率よく抑制することができる。
【００１２】
第４発明は、防磁手段を加熱コイル用フェライトと周波数変換装置の間に設けたことにより、加熱コイルから発生される漏洩磁界を効率よく抑制することができる。
【００１３】
第５発明は、防磁手段を加熱コイルと周波数変換装置の間に設けたことにより、加熱コイルから発生される漏洩磁界を効率よく抑制することができる。
【００１４】
第６発明は、防磁手段をフェライトで構成されたことにより、加熱コイルから発生される漏洩磁界を効率よく抑制することができる。
【００１５】
第７発明は、防磁手段を加熱コイルの中心より放射状に設けたことにより、加熱コイルから発生される漏洩磁界を効率よく抑制することができる。
【００１６】
第８発明は、防磁手段を加熱コイルの中心より前方に設けたことにより、加熱コイルから発生される漏洩磁界を効率よく抑制することができる。
【００１７】
第９発明は、防磁手段は加熱コイルと同心円のリング形状としたことにより、加熱コイルから発生される漏洩磁界を効率よく抑制することができる。
【００１８】
第１０発明は、防磁手段は支持部に設けられた爪により固定されたことにより、加熱コイルから発生される漏洩磁界を効率よく抑制することができる。
【００１９】
第１１発明は、防磁手段は支持部と一体成型されたことにより、加熱コイルから発生される漏洩磁界を効率よく抑制することができる。
【００２０】
以下、本発明の実施の形態について、図面を参照しながら説明する。なお、この実施の形態によって本発明が限定されるものではない。
【００２１】
（実施の形態１）
図１は本発明の第１の実施形態における誘導加熱調理器の主要断面図、図２は同誘導加熱調理器の加熱コイル部の平面図である。
【００２２】
図１〜２において、非磁性体で構成されたトッププレート５の下方には加熱コイル１を設け、加熱コイル１は加熱コイル保持部２によって保持されている。加熱コイル１と加熱コイル保持部２は接着や樹脂部品等を介してネジ止めによって締結されている。加熱コイル保持部２は支持部３の上方にあり、バネ４によりトッププレート５方向に付勢されている。バネ４は複数設けられ加熱コイル１とトッププレート５が略平行になるように配置されている。加熱コイル保持部２には磁束をトッププレート５側に指向させる加熱用フェライト６を加熱コイル１の中心より放射状に複数設けている。加熱コイル１の外周には導電性材料で形成された磁気シールド板７を配置し、磁気シールド板７の内径は加熱コイル１と同心円とし外形は同心円でなくても良い。磁気シールド板７の内径と加熱コイル１の外形は電気的に必要な絶縁距離を確保できる範疇で近接するのが望ましい。磁気シールド板７は加熱コイル保持部２に接着やネジ止めによって締結されるか、一体成型によって構成されている。支持部３には加熱コイル１からの漏洩磁界を低減する防磁手段である防磁フェライト８を設けている。防磁手段は漏洩磁界の周波数帯に応じて材質を選定するが、一般的に誘導加熱調理器ではフェライトや珪素鋼板が望ましい。また鋼板を使用する場合は積層することによって防磁効果が拡大される。また防磁フェライト８は加熱コイル１及び加熱用フェライト６の下方に配置されるが、防磁手段はトッププレート５側から投影して加熱用フェライト６と防磁フェライト８が重ならない位置に配置する。防磁フェライト８の長手方向の寸法はコイルケースの半径より長いものである。支持部３の下方には周波数変換装置である駆動回路９を設けている。支持部３は加熱コイル保持部２の支持と、駆動回路９と加熱コイル１の熱遮蔽を同時に行っているものである。また支持部３は駆動回路９を取付けている部材で形成してもよい。支持部３には複数の突起部が設けられ、突起部の外周にコイル型のバネ４が配置されている。防磁フェライト８は支持部３の上方表面より突起して取付けられ駆動回路９の上部に取付けられている。防磁フェライト８は支持部に設けられた弾性を有するつめであるフェライト固定部３ａにより固定されている。フェライト固定部３ａは各防磁フェライト８につき複数設け、フェライト固定部３ａにより防磁フェライトの振動及び脱落等を防止している。
【００２３】
以上のように構成された誘導加熱調理器について、以下その動作、作用を説明する。
【００２４】
まず、加熱コイル１に周波数変換装置である駆動回路９から高周波電流が供給されると、加熱コイル１から磁束が発生してトッププレート５に載置された鍋等にその磁界が鎖交し、鍋に渦電流が発生して鍋が加熱される。一方、加熱コイル１から発生する磁界は磁気シールド板７形成する閉曲面とも鎖交しており、磁気シールド板７誘導電流が発生する。このため、磁気シールド板７の内方ではこの誘導電流により磁界が強まり、また磁気シールド板７の外方においては磁界が弱まるので、その外側の磁界を抑制することができる。より磁束をトッププレート５側に指向させるために、加熱用フェライト６を加熱コイル１の下方で加熱コイル保持部２に設けることで効果的に鍋を加熱することができる。さらに、防磁フェライト８は加熱コイル１の下方や放射状に生じる磁界を吸収し、漏洩磁界を抑制する効果を得ることができる。防磁手段である防磁フェライト８は加熱コイル１と周波数変換装置である駆動回路９の間に設けることで加熱コイル１から生じた漏洩磁界が駆動回路に誤動作等の影響を及ぼすことを防止することができる。防磁フェライト８はトッププレート５側から投影して加熱用フェライト６と重ならない位置に配置することでより効果的に漏洩磁界を抑制することが可能となる。防磁フェライト８の長手方向を加熱コイル１の中心よりの放射方向にすることで、加熱コイル１から生じる漏洩磁界と直交する部分が拡大するためより効果的に効果的に漏洩磁界を抑制することが可能となる。また防磁フェライト８は加熱コイル１の半径よりも長手方向に長く、さらにトッププレート５より投影したとき加熱コイル１の外形より外側まで伸びた形状にすることでより一層の漏洩磁界を抑制することが可能となる。弾性を有するつめであるフェライト固定部３ａで防磁フェライト８を支持部３に固定することで安価に漏洩磁界を抑制することが可能となる。また防磁フェライト８と支持部３を一体成型することで安価に漏洩磁界を抑制することが可能となる。
【００２５】
以上のように、本実施の形態においては、加熱コイルから発生される漏洩磁界を効率よく抑制することができる。
【００２６】
（実施の形態２）
図３は、本発明の第２の実施形態の誘導加熱調理器の加熱コイル部の平面図である。
【００２７】
図３において、防磁手段である防磁フェライト８を加熱コイル１の中心より前方に設けることで、機体前方への漏洩磁界を防磁フェライトで吸収することで抑制することができ、使用者などへ漏洩磁界の影響を低減する効果を得ることができる。
【００２８】
（実施の形態３）
図４は、本発明の第３の実施形態の誘導加熱調理器の加熱コイル部の平面図である。
【００２９】
図４において防磁手段である防磁フェライト８を加熱コイル１と同心円のリング形状にすることにより、より効果的に漏洩磁界を抑制することが可能となる。
【産業上の利用可能性】
【００３０】
以上のように、本発明にかかわる誘導加熱調理器は漏洩磁界を抑制する誘導加熱調理器の用途として有用である。
【図面の簡単な説明】
【００３１】
【図１】本発明の第１の実施形態を示す誘導加熱調理器の主要断面図
【図２】本発明の第１の実施形態を示す誘導加熱調理器の加熱コイル部の平面図
【図３】本発明の第２の実施形態を示す誘導加熱調理器の加熱コイル部の平面図
【図４】本発明の第３の実施形態を示す誘導加熱調理器の加熱コイル部の平面図
【図５】従来例を示す誘導加熱調理器の主要断面図
【符号の説明】
【００３２】
１  加熱コイル
２  加熱コイル保持部
３  支持部
３ａ  フェライト固定部
４  バネ
５  トッププレート
６  加熱用フェライト
８  防磁フェライト
９  駆動回路
【図１】
2006294434.tif 000003
【図２】
2006294434.tif 000004
【図３】
2006294434.tif 000005
【図４】
2006294434.tif 000006
【図５】
2006294434.tif 000007